(57)【特許請求の範囲】
【請求項１】
少なくとも１つの濾過層を含み、かつ周縁部を有する後方開放端部を含む造形されたマスク本体と、
フェースシールであり、前記マスク本体の前記周縁部に連結されており、かつ前記マスク本体の前記周縁部から内方に延びて前記フェースシールの内側縁部において終端するフェースシールと、を含み、
前記フェースシールが、親水性部分を含む単一層のポリマーフィルムで構成されており、前記ポリマーフィルムが、水蒸気通気性であり、撥水性であり、空気不透過性である、造形されたフィルタ式顔面装着呼吸マスク。
【請求項２】
前記ポリマーフィルムは、前記親水性部分が、主鎖セグメント、側鎖セグメント、若しくはグラフト側鎖、又はこれらの任意の組み合わせの親水基によってもたらされる非多孔質フィルムである、請求項１に記載の呼吸マスク。
【請求項３】
前記ポリマーフィルムが、親水性熱可塑性ポリウレタン、親水性熱可塑性ポリエーテルアミドブロックコポリマー、親水性ポリエーテルエステルブロックコポリマー、少なくともいくつかの親水性アクリル及び／又はメタクリルモノマー単位を含む親水性材料、並びにこれらの任意の混合物、コポリマー、及びブレンドからなる群から選択される材料を含む、請求項２に記載の呼吸マスク。
【請求項４】
前記ポリマーフィルムの前記親水性部分が、少なくとも一部において、親水性粒子状添加剤及び親水性小分子添加剤からなる群から選択される１つ又は複数の親水性添加剤によってもたらされる、請求項１に記載の呼吸マスク。
【請求項５】
前記濾過層が、エレクトレット繊維を含む、請求項１に記載の呼吸マスク。
【請求項６】
前記フェースシールのどの部分も、前記マスク本体の前記周縁部に連結された前記フェースシールの外側周縁部以外、前記マスク本体のいずれの部分とも連結されていない、請求項１に記載の呼吸マスク。
【発明の詳細な説明】
【背景技術】
【０００１】
呼吸マスクは、例えば望ましくない粒子が着用者の呼吸器系に侵入する可能性を最小限に抑えるために、職場で着用されることが多い。
【発明の概要】
【０００２】
大まかな概要において、水蒸気通気性層を含むフェースシールを有する造形されたフィルタ式顔面装着呼吸マスクが本明細書において開示される。本発明のこれらの態様及び他の態様は、以下の詳細な説明により明らかになるであろう。しかしながら、かかる主題が、最初に出願された出願にて請求項の中で提示されているか、又は手続きの際に補正されるか若しくは他の形で請求項の中で提示されているかに関係なく、いかなる場合にも、上記大まかな概要を請求可能な主題を制限するものとして解釈すべきではない。
【図面の簡単な説明】
【０００３】
【図１】本明細書で開示される例示的な造形されたフィルタ式顔面装着呼吸マスクの部分切欠正面側斜視図である。
【図２】図１の呼吸マスクの後面側斜視図である。
【図３】図１における線３−３に沿った、図２の呼吸マスクの一部の概略断面図である。
【図４】本明細書で開示される例示的なフェースシールの一部の概略断面図である。
【発明を実施するための形態】
【０００４】
様々な図面における類似参照番号は、類似要素を表す。特に指定されない限り、本文献における全ての図面及び図は、一定の縮尺ではなく、本発明の異なる実施形態を例示する目的で選択される。特に、様々な部品の寸法は、指示のない限り、例示的な表現としてのみ記述され、様々な部品の寸法間の関係は、図面から推測されるべきではない。「上部」、「下部」、「上側」、「下側」、「下」、「上」、「上方」、「下方」、並びに「第１」及び「第２」などの用語が本開示に使用され得るが、特に断らない限り、これらの用語はあくまで相対的な意味においてのみ使用される点を理解すべきである。本明細書で使用するとき、「前方」及び「前側」などの用語は、（本明細書で開示される呼吸マスクが着用者の顔面上の適切な位置にフィットしたときに）概ね着用者の顔面から離れる方向を表し、「後方」及び「後側」などの用語は、概ね着用者の顔面に向かう方向を表す。「内方」及び「内側」などの用語は、呼吸マスクの周縁部から離れる方向であり、呼吸マスクによって画定された内部空気空間内の概ね中心位置（例えば、幾何学的中心）に向かう方向を表す。「外方」及び「外側」などの用語は、そのような幾何学的中心から離れ、例えば呼吸マスクの周縁部に向かう及び／又は周縁部を越える方向を表す。本明細書において、特性又は属性に対する修飾語として用いられる「概ね」なる用語は、特に定めのない限り、その特性又は属性が当業者により直ちに認識されるものであるが、絶対的な精度又は完全な一致を必要としないことを意味する（例えば、定量化可能な特性の場合、＋／−２０％の範囲内）。特に定めのない限り、「実質的に」なる用語は、高い程度の近似（例えば、定量化可能な特性の場合、＋／−１０％の範囲内）を意味するが、この場合もやはり絶対的な精度又は完全な一致を必要としない。同じ、等しい、均一な、一定の、厳密に等といった用語は、絶対的な精度又は完全な一致を必要とせずに、特定の状況に適用可能な通常の公差又は計測誤差の範囲内に含まれると理解されるべきである。
【０００５】
用語
「形状適合性を有する」は、通常の使用条件からの力又は圧力に反応して、付形された、湾曲した、又は平坦な部分を形成するのに適合した十分な可撓性又は変形性を有する構造体を指す。
【０００６】
「使い捨て」は、再使用される及び／又は使用済み呼吸マスクに取り付けられる新しいフィルタカートリッジ等を有する呼吸マスクではなく、適切な使用期間の後で廃棄される呼吸マスクを表す。
【０００７】
「外部空気空間」とは、吐き出された空気が、マスク本体及び／又は呼気弁を通過し、それらを越えた後に入る、周囲大気中の空気空間を意味する。
【０００８】
「フェースシール」とは、呼吸マスクのマスク本体の開放端部の周縁部から内方に延びるシート状構造体を意味し、着用者が呼吸マスクを着用したときに着用者の顔面の輪郭に適応するのに十分な形状適合性を有し、かつ、粒子が内部空気空間に侵入するのを最小限に抑える又は防止するのを助ける。
【０００９】
「フィルタ式顔面装着呼吸マスク」は、そこを通過する空気を濾過するように設計されたマスク本体を有する呼吸マスクを表し、定義によれば、この目的を達成するためにマスク本体に取り付けられた、マスク本体上に成形された等の、個別に識別可能なフィルタカートリッジは存在しない。
【００１０】
「ハーネス」とは、着用者の顔面上にマスク本体を支持及び保持するのを補助する構造体又は部品の組み合わせを意味する。
【００１１】
「一体の」とは、問題となっている複数部分が１つの部品として同時に作製されたものであり、２つの別々の部品を後で合わせて接合したものではないことを意味する。
【００１２】
「内部空気空間」とは、マスク本体と人の顔面との間の空間を意味する。
【００１３】
「撥水性（liquid-water-repellent）」とは、層に関連して使用されるとき、層が、液状水分（例えば、汗）がその層を貫通する（例えば、ウィッキングする）のを十分に防ぐことを意味する。
【００１４】
「マスク本体」とは、人の鼻及び口を覆ってフィットするよう設計され、かつ外部空気空間から分離された内部空気空間を画定するのを助ける、呼吸マスクの通気性構造体を意味する。
【００１５】
「微小空隙」とは、ポリマー層（例えば、フィルム）の空洞を意味し、この空洞は、約０．０１〜約２０マイクロメートルの範囲の最短寸法を含む。
【００１６】
「粒子」とは、呼吸マスクの内部空気空間から部分的又は完全に排除されることが望ましいあらゆる粒子状汚染物を意味し、固体、半固体、又は凝集体である粒子、及び液体（エアロゾル）液滴である粒子を広く包含する。
【００１７】
「周縁部」とは、マスク本体の外縁部を意味し、人が呼吸マスクを着用したときに、この外縁部は、概して着用者の顔に近接して配置される。
【００１８】
「造形された」とは、フィルタ式顔面装着呼吸マスク及びそのマスク本体に関連して使用されるとき、呼吸マスクのマスク本体が、顔にフィットする所望の構造に永続的に形成され、かつ使用の際にこの構造を概ね保持することを意味し、この造形された呼吸マスクは、定義によれば、使用していないときに平坦に折り畳まれるように設計された呼吸マスクと区別される。
【００１９】
「小分子」添加剤とは、分子量が５０００以下であり、層（例えば、ポリマーフィルム又は不織布ウェブ）のポリマー鎖に共有結合していない添加剤を意味する。
【００２０】
「水蒸気通気性」とは、３８℃の試験した場合に、撥水性であり、かつ２４時間当たり４００〜２００００グラム／平方メートルの水蒸気透過率（ＭＶＴＲ）を有する層を意味する。
【００２１】
図１は、呼吸マスク１０のフェースシール６０の一部を示すために部分的に切り欠いた、例示的な造形されたフィルタ式顔面装着呼吸マスク１０を、正面側斜視図で示す。図２は、例示的な呼吸マスク１０を後面側斜視図で（即ち、呼吸マスク１０の開放端部から）示す。呼吸マスク１０は、造形されたマスク本体１２とハーネス１４とを含み、ハーネス１４は、例えば弾性材料から製造され得る１つ以上のストラップ１６を含み得る。マスク本体１２は、着用者の顔面（例えば鼻梁を跨ぎ、頬を横断してその周囲から顎の下まで）と接触するように造形された周縁部３３を有する。いくつかの実施形態では、図１及び図２の例示的な設計のように、周縁部３３の概ね全て、又は実質的に全ては、仮想平面内にあってもよい。他の実施形態では、周縁部３３の一部のみがかかる仮想平面内にあってもよい。マスク本体１２は、着用者の鼻及び口の周囲に密閉内部空気空間３０を形成して、この空間を外部空気空間３１から分離すように造形され、そのため、例えば、外部空気空間３１から内部空気空間３０に入るあらゆる空気は、マスク本体１２の濾過層を通過しなければならない。多くの実施形態において、マスク本体１２は、マスク本体１２の周縁部３３から前方（即ち、着用者の顔面から離れる方向）に突出する球状部分３５を含み得る。球状部分３５の形状は、多くの場合、概ねカップ形状であるが、好適な形状を用いることができる。
【００２２】
図２は、例示的な実施形態におけるフェースシール６０の背面図を示す。フェースシール６０は呼吸マスク１０の開口部側（後側）に設けられ、着用者の顔面に対する快適なフィットを提供すると同時に、内部空気空間３０に粒子が侵入するのを最小限に抑える、又は防止するのも助けることができる。よって、フェースシール６０は、マスク本体１２の周縁部３３から内方に延びており、かつ、例えば気密シールを達成するために、着用者が呼吸マスク１０を着用したときに着用者の顔面の輪郭に適応するのに十分な形状適合性を有するシート状材料である。多くの実施形態において、フェースシール６０は、マスク本体１２の周縁部３３の概ね全て、又は実質的に全ての部分から内方に（例えばマスク本体の周縁部３３によって画定された仮想平面と概ね整合した方向に）延出していてもよく、その結果、フェースシール６０の内側縁部６４は、着用者の顎、頬、口、及び鼻の少なくとも一部を受承及び収容するように構成された開口部を画定する（即ち、取り囲む）周縁部を提供するようになっている。呼吸マスク１０が着用者に提供されたとき、フェースシール６０は、多くの場合、マスク本体１２の周縁部３３により確立される上記の仮想平面と整合し得ることに留意すべきである。しかしながら、着用者が呼吸マスク１０を身に着けると、フェースシール６０の一部は、着用者の顔面に形状適合する際にわずかに前方に（即ち、マスク本体１２の球状部分３５に向かって）変形し、例えば、先に述べた気密シールを維持するために、着用者の顔面に対して軽度の圧迫を維持するようになっている。フェースシール６０は、呼吸マスク１０が、例えば着用者の顔面から一時的に外されたときにも、わずかに前方に変形した状態を留めることができる。（一部のそのようなわずかな前方への変形は、出荷及び保管のために複数の呼吸マスク１０が一緒に積み重ねられた場合に生じ得ることも理解されたい。）しかしながら、上述したようにシート状であるフェースシール６０は、シート状以外の形状の構造体、例えば、略管状の断面を有する構造体（例えば、米国特許第４，６６５，５７０号に記載されている種類）と区別されることが理解されるであろう。
【００２３】
よって、図３に更に詳細に示されるように、フェースシール６０は（外側）周縁部６２を含み得、この周縁部６２はマスク本体１２の周縁部３３に連結（例えば、接合）され、フェースシール６０は内方に延びて、フェースシールの内側縁部６４で終端する。多くの実施形態において、内側縁部６４は、図２の例示的な実施形態に示されるように、顎収容部６６、頬収容部６８、及び鼻収容部６９を含み得るが、これらの部分のいずれか又は全ての個別の形状及び構成は、所望通りに選択され得る。
【００２４】
種々の実施形態において、フェースシール６０は、マスク本体１２の周縁部３３から、少なくとも約５、１０、１５、２０、又は２５ｍｍの距離で内方に延在し得る。更なる実施形態では、フェースシール６０は、マスク本体１２の周縁部３３から、最大で約５０、４０、３０、２０、又は１０ｍｍの距離で内方に延在し得る。いくつかの実施形態では、かかる距離は、顎収容部６６又は鼻収容部６９におけるよりも、頬収容部６８においてより大きくてもよい（例えば、１．５、２、又は３倍）。いくつかの実施形態では、フェースシール６０は、マスク本体１２によって支持されず、かつ、マスク本体の周縁部３３に連結されている（例えば、取り付けられている）先に述べたフェースシール周縁部６２以外、フェースシール６０のいずれの位置又は部分においてもマスク本体１２と接触しない。いくつかの実施形態では、フェースシール６０は、（例えば、フェースシール６０の前面と接触している支持部材又はストラットから構成される）いかなる種類の支持フレームによっても支持されない。
【００２５】
フェースシール６０は、所望の取り付け機構又は方法によりマスク本体１２、例えばマスク本体１２の周縁部３３に取り付けられてもよい。かかる方法としては、例えば、超音波結合、熱接着、感圧接着剤などの接着剤の使用、ホットメルト接着剤、放射線硬化性接着剤、１つ以上のステープル、クリップなど機械的締結具の使用、及びこうした方法の任意の組み合わせを挙げることができる。マスク本体１２に対するフェースシール６０の取り付けは、例えばマスク本体１２の周縁部３３全体の周囲に実質的に連続的に行われてもよく、又は、周縁部３３の選択した位置においてのみ行われてもよい。図２の例示の実施形態では、フェースシール６０の一部は、マスク本体１２のハーネス取り付けタブ３４に沿って外方に延びているが、必要に応じて、フェースシール６０は、この部分がこのようにしてタブ３４に沿って外方に延びないように終端されてもよい。
【００２６】
前述の通り、フェースシール６０は、共形のシート状材料（いくつかの実施形態では、本明細書において以下に詳述するように複数の層を含み得る）で好都合に作製され得る。種々の実施形態において、フェースシール６０の（全）厚さは、約２、１、０．５、０．２、又は０．１ｍｍ未満であり得る。いくつかの実施形態では、フェースシール６０はマスク本体１２と一体でない。つまり、そのような実施形態では、フェースシール６０は、例えばマスク本体の周縁部から内方にカールして又は巻かれてフェースシールを形成する、マスク本体１２の拡張部により提供されない。この種の更なる実施形態では、フェースシール６０は、マスク本体１２で使用されるものとは異なる材料の層で構成されてもよい（例えば、フェースシール６０は、マスク本体１２の濾過層１８と同じ組成及び特性の濾過層を含んでいなくてもよく、この濾過層１８については本明細書において以下に詳述する）。この種の具体的な実施形態では、マスク本体１２の濾過層１８とは異なり、フェースシール６０は（本明細書において定義されるように）空気に対して不透過性であってもよい。
【００２７】
フェースシール６０の弾性は、所望通りに選択することができる。種々の実施形態において、フェースシール６０は、（上述のような形状適合性を保ちつつも）有意な弾性を示さなくてもよい（即ち、種々の実施形態において、フェースシール６０の破断点伸びは、４０、２０、１０、又は５％未満であってよい）。他の実施形態では、フェースシール６０は、（例えば少なくとも４０、８０、又は１２０％の破断点伸びで示されるように）有意な弾性を含み得る。
【００２８】
本明細書において開示されるフェースシールは、少なくとも１つの水蒸気通気性層を含む。こうした層は、第１の部分において、温度約３８℃、「直立」形態（液状水分が試験対象層と直接接触している「倒立」試験形態とは異なる）で試験した場合に、つまり、例えば、米国特許第５，９８１，０３８号（Ｗｅｉｍｅｒ）及び米国特許出願公開第２０１１／０１１２４５８号（Ｈｏｌｍ）（試験方法１Ａ）に開示されているのと概ね同様の方法で試験した場合に、２４時間当たり４００〜２００００グラム／１平方メートルの水蒸気透過率（本明細書ではＭＶＴＲと略される）を示すとして定義される。種々の実施形態において、開示されるフェースシールの水蒸気通気性層は、上記方法で試験した場合、２４時間当たり少なくとも約１０００、２０００、４０００、５０００、８０００、１００００、又は１２０００グラム／１平方メートルの水蒸気透過率を示し得る。フェースシールがそのような水蒸気通気性層を含むことにより、少なくともほとんどの通常の状態において、呼吸マスクの着用者の皮膚から発散される汗は、（許容できない様式でフェースシールと皮膚との間に汗が集まるのではなく）皮膚を十分に乾燥した状態に保つのに十分な速度で水蒸気として皮膚から離れて搬送され得る。
【００２９】
多くの基材（例えば、ポリマーフィルム材料、薄膜等）が、開示されるフェースシールの水蒸気通気性層として使用するのに好適であり得る。そのような材料は、大きく分けて２つのカテゴリーに分類することができる。第１のカテゴリーとしては、基材内部に多くの微小空隙（即ち、一般的な寸法範囲が０．０１〜２０マイクロメートルである微細な空洞であるが、他の寸法の空洞が存在していてもよい）を含むことにより、高いＭＶＴＲを達成する基材（例えば、フィルム）が挙げられる。第２のカテゴリーとしては、水分子が、所望のＭＶＴＲを達成するのに十分な速度で基材の少なくとも親水性部分を通して浸透（例えば、放散）することができるように、親水性部分を含むことにより、高いＭＶＴＲを達成する基材（例えば、非多孔質フィルム）が挙げられる。これら一般的なカテゴリーについては、本明細書において後に詳細に説明する（水蒸気通気性層によっては、これら一般的な種類の両方の特性を含み得るものがあることが認識される）。
【００３０】
水蒸気通気性層は、第２の部分において撥水性であるとして更に定義される。つまり、そのような層は、大気圧において層に衝突する液状水分を、一方の主面から他方へと毛管現象（ウィッキング）により容認し難いほど貫通させない。かかる特性は当業者に十分に認識されるであろう（また、例えば、米国特許第５，９８１，０３８号（Ｗｅｉｍｅｒ）及び同第６，８５８，２９０号（Ｍｒｏｚｉｎｓｋｉ）に記載され、説明がなされている）。特定の実施形態では、撥水性層は、汗が毛管現象により層を通って流れるのを可能にしない場合がある。そのようなバリア特性は、例えば、例えば米国特許第５，９８１，０３８号（Ｗｅｉｍｅｒ）に開示されている種類の耐汗汚染性試験によって特徴付けることができる。よって、いくつかの実施形態では、本明細書に開示される水蒸気通気性層は、耐汗汚染性試験において「合格」評価を得ることができる。
【００３１】
本明細書に開示されるフェースシールは、着用者の皮膚とフェースシールとの間の隙間を通る浮遊粒子の許容できない漏れを防止するように、着用者の顔面に形状適合し得る。少なくともいくつかの実施形態では、本明細書に開示されるフェースシールはまた、例えば浮遊粒子に対するバリアとなる層を含むことによって、浮遊粒子がフェースシール自体を通過するのを最小限に抑える又は防止することができる。そのような浮遊粒子バリア層は、上記の水蒸気通気性層自体であってもよく、又はフェースシール内に存在する追加の層であってもよい。実現されれば、そのような実施形態において、フェースシールは、水蒸気の望ましい通過及び液状水分の阻止を可能にし得るだけでなく、フェースシールが使用されている呼吸マスクの所望の濾過性能を実現及び維持するのに十分な、浮遊粒子の通過に対するバリアも提供し得る。よって、浮遊粒子に対する十分なバリア特性をフェースシールが提供しているかどうかを評価するための１つの方法は、フェースシールを含む呼吸マスクを試験して、（着用者の顔面に適切にフィットしているときに）呼吸マスクが所望の性能評価を得られるかどうかを決定することである。種々の実施形態において、本明細書に開示される水蒸気通気性層を有するフェースシールを含むそのような呼吸マスクは、米国特許出願公開第２００５／００７９３７号（Ｗａｄｓｗｏｒｔｈ）（段落００２２−００２３）に記載されている手順と概ね同様の方法で試験したとき、及び２００３年８月に施行されたＮＩＯＳＨの規格基準４２  ＣＦＲ  Ｐａｒｔ  ８４に従って評価したときに、ＮＩＯＳＨの分類システムに従ってＮ９５、Ｎ９９、又はＮ１００規格を達成することができる。しかしながら、層を呼吸マスクのフェースシールに必ずしも組み込まずに、フェースシールで使用するための候補となる浮遊粒子バリア層に対して他のスクリーニング法を行ってもよい。
【００３２】
前述の通り、いくつかの実施形態では、フェースシールの浮遊粒子バリア特性は、水蒸気通気性層自体によって与えられてもよい。一部の水蒸気通気性基材（例えば、一方の主面からもう一方へと基材を通って空気が流れるのをかなりの程度まで可能にする、相互連結した微小空隙を含まないもの、例えば非多孔質フィルム）に関しては、浮遊粒子に対して適切なバリア特性を提供するということを容易に決定できる場合があることが理解されるであろう。例えば、空気の流れをほとんど又は全く貫通させないが、十分に高いＭＶＴＲを示す基材は、それ以上試験することなく適していると判断することができる。しかしながら、他の水蒸気通気性基材は、スクリーニングすることにより、様々な寸法の浮遊粒子がどの程度基材を貫通できるか、又はできないかを決定することができる。つまり、基材の一方の主面から他方の主面まで延びる、連結した貫通通路を形成するように配置された微小空隙を有する基材であっても、その通路は十分小さく、十分蛇行しており、又はそれらのいくつかの組み合わせであり得、依然として浮遊粒子が基材を貫通するのを十分に制限することができる。そのような基材をスクリーニングすることができる簡単な方法の１つは、空気透過デンソメータ（air-permeability densometer）（例えばＧｕｒｌｅｙ  Ｐｒｅｃｉｓｉｏｎ  Ｉｎｓｔｒｕｍｅｎｔｓ（Ｔｒｏｙ，ＮＹ）より入手可能なデンソメータなど）を使用して行うことができ、デンソメータでは、（例えば、米国特許第６，８５８，２９０号（Ｍｒｏｚｉｎｓｋｉ）に記載されているように）所定の体積の空気が所定の力で所定の基材面積を通過するのに要する時間を測定する。基材が、適切なデンソメータ時間を有するのに十分なだけ低い多孔性及び／又は十分なだけ小さい孔サイズの組み合わせを有する場合、その基材は使用にふさわしい候補であり得る。種々の実施形態において、好適な水蒸気通気性基材は、１００ｃｃにおいて少なくとも約５秒、１０秒、２０秒、５０秒、又は１００秒のデンソメータ時間を示し得る。更なる実施形態では、好適な空気透過性の水蒸気通気性基材は、１００ｃｃにおいて最大で約１０００秒、５００秒、２００秒、１００秒、又は５００秒のデンソメータ時間を示し得る。例えば、基材を通る相互連結した貫通通路を実質的に欠いた基材では、かかるデンソメータ時間は、例えば１０００秒を超える場合があり、この１０００秒を、本記述の目的のため、空気透過性である基材と、空気不透過性である基材との間の境界（cut-off）として定義することを理解されたい。（多くのそのような空気不透過性基材では、デンソメータ時間は無限大に近づく場合がある。）浮遊粒子の通過を防止するために水蒸気通気性層に依存するのではなく個々の浮遊粒子バリア層を使用する場合には、上で示したデンソメータ時間基準は、そのような個々の層の適合性を判断するためにも使用され得ることを理解されたい。
【００３３】
潜在的に好適な浮遊粒子バリア層（例えば、フィルム）を特定することができる別の方法は、呼吸マスク等の濾過層の性能を特性評価するためにしばしば用いられる周知のパラメータである品質係数を決定することによるものである。かかる品質係数は、例えば米国特許第７，８５８，１６３号（Ａｎｇａｄｊｉｖａｎｄ）に説明されているように、例えば、０．０７５μｍの塩化ナトリウムエアロゾル液滴を含む空気流に基材を暴露し、エアロゾル液滴のうちのどれくらいの割合が基材を貫通することができるかを決定することによって、決定され得る。種々の実施形態において、好適な浮遊粒子バリア基材（水蒸気通気性基材であってもそうでなくてもよい）は、面速度１３．８ｃｍ／秒（又は、速度が試験を良好に実施するのにふさわしい限りにおいて、空気が基材を通過することができるあらゆる速度）で流れる０．０７５μｍの塩化ナトリウムエアロゾルに暴露されたときに、少なくとも約０．４、０．６、０．８、又は１．０ｍｍ−１  Ｈ２Ｏの品質係数を示し得る。この点において、そうした品質係数試験は、貫通多孔性をほとんど又は全く有さない基材には適さない場合があることが認識されるが、しかしながら、当業者は、品質係数試験を必要とせずに、（例えば、先に述べた基準の１つ以上に基づいて）そのような基材の多くが適切な粒子阻止特性を有していることを判断することができるので、かかる試験は必ずしも必要ではない場合がある。
【００３４】
よって、要約すると、フェースシールの水蒸気通気性層として機能するのに好適な基材（例えば、任意の組成、種類、又は構造のフィルム）は、少なくとも、水蒸気分子の基材通過を可能にする十分に高い能力と、基材を貫通する液状水分のウィッキングに対する十分に高い抵抗性との組み合わせを含むことになる。いくつかの実施形態では、こうした基材は、上述のように十分に高い浮遊粒子バリア特性を更に有し得る。いくつかの他の実施形態では、フェースシールは、個々の浮遊粒子バリア層を含んでもよい。更に他の実施形態では、フェースシールの設計では、（例えば、マスク本体の表面積と比べて、フェースシールのごくわずかな表面積が外部空気空間に暴露されている場合に）浮遊粒子がフェースシール自体を貫通するのを防止するフェースシールの能力は問題でない可能性があるので、そのような浮遊粒子バリア特性は必要とされない場合がある。
【００３５】
先に述べたように、水蒸気通気性層として使用するのに好適であり得る基材の一般的なカテゴリーの１つとしては、多くの微小空隙を含むフィルム／薄膜が挙げられる。そのような微小空隙によりもたらされ得るのは、フィルムの固体「骨格」を形成するポリマー材料は、水分子の透過に対して比較的不透過性であり得るけれども、水分子は、主に微小空隙を通ってフィルムを貫通することができるということである。この関連で、隣接する微小空隙間の（及び／又はフィルムの主面の）任意の固体材料が十分に薄く、水分子の放散に対する許容できないバリアとならない限り、微小空隙は、互いに連結されて、一方の主面から他方の主面までフィルムを貫通する連続した通路を形成する必要は必ずしもあり得ないことに留意すべきである。本明細書において定義される微小空隙とは、最短寸法が０．０１〜２０マイクロメートルの範囲内である微細な空洞を意味するが、他の寸法の空洞が存在していてもよい（細長い形状を有する空洞では、かかる最短寸法は、空洞の細長い長さに沿った任意の位置で測定され得ることにも留意されたい）。
【００３６】
先に述べたように、隣接する微小空隙間の任意の固体材料が十分に薄く、水分子の放散に対する許容できないバリアとならない限り、微小空隙は、互いに連結されて、フィルムを貫通する連続した通路を形成する必要は必ずしもあり得ない。よって、いくつかの実施形態では、かかるフィルムは、空気の流れに対して不透過性であってもよく、この不透過性は、本明細書では、フィルムが１００ｃｃにおいて１０００秒を超えるデンソメータ時間を示すとして具体的に定義される。しかしながら、他の実施形態では、かかるフィルムは、上で説明したように、例えば１０００秒未満（多くの場合、実質的に１０００秒未満）のデンソメータ時間によって特徴付けられるように、少なくともいくらかの空気の流れを貫通させることができてもよい。
【００３７】
多くの微小空隙含有フィルム基材が利用可能であり、ここでは、微多孔性フィルムの総称で呼ぶこととする。種々の実施形態において、微多孔性フィルムとしては、前駆体フィルム（例えば、米国特許第６，４４４，３０２号（Ｓｒｉｎｉｖａｓ）及び同第３，９５３，５６６号（Ｇｏｒｅ）に記載されているもの）、特に、核形成剤、炭酸カルシウなどの無機充填剤等を含有する前駆体フィルム（例えば、米国特許第６０７２００５号（Ｋｏｂｙｌｉｖｋｅｒ）、同第６，１０６，９５６号（Ｈｅｙｎ）、及び同第６，５６９，２２５号（Ｅｄｍｕｎｄｓｏｎ）に記載されているもの）を延伸することによって製造される微多孔性フィルムが挙げられる。そのような微多孔性フィルムとしては更に、溶媒転相法によって製造されたもの（例えば、米国特許第６，４１３，０７０号（Ｋｅｌｌｙ）に記載されているような）、熱転相法によって製造されたもの（例えば、米国特許第４，５３９，２５６号（Ｓｈｉｐｍａｎ）及び同第４，７２６，９８９号（Ｍｒｏｚｉｎｓｋｉ）に記載されているような）、前駆体フィルムから物質を抽出する（例えば、浸出する）ことによって製造されたもの（例えば、米国特許第４，２１０，７０９号（Ｄｏｉ）に記載されているような）などが挙げられる。いくつかの実施形態では、好適な微多孔性フィルムは、フラッシュ紡糸法（例えば、米国特許第７，３３８，９１６号（Ｒｏｌｌｉｎ，Ｊｒ．）に記載されているような）によって製造されてもよい。こうした方法の組み合わせを用いてもよい（例えば、米国特許第５，１７６，９５３（Ｊａｃｏｂｙ）に記載のように、例えば、前駆体フィルムは、延伸されても、前駆体フィルムから抽出される物質を有していてもよい）。更に他の実施形態では、膜の孔サイズ及び孔密度が、水分子を十分に通過させることができる能力と、液状水分を膜を通してウィッキングさせない能力との必要な組み合わせを提供すべく組み合わせされて設計されている限り、いわゆるトラック−エッチ（track-etch membrane）膜（フィルム）を使用してもよい。いくつかの実施形態では、好適な微多孔性フィルム（又は複数のフィルム）は、多層構造の一部として提供されてもよい（例えば、米国特許第６，９２９，８５３号（Ｆｏｒｔｅ）に記載されているように）。例えば、商品名ＣＥＬＧＡＲＤでＣｅｌｇａｒｄ（Ｃｈａｒｌｏｔｔｅ，ＮＣ）より入手可能なフィルム、商品名ＥＸＸＡＩＲＥでＴｒｅｄｅｇａｒ（Ｒｉｃｈｍｏｎｄ，ＶＡ）より入手可能なフィルム、商品名ＡＰＴＲＡでＲＫＷ（Ｒｏｍｅ，ＧＡ）より入手可能なフィルム、及び商品名ＮＵＣＬＥＰＯＲＥでＧＥ  Ｈｅａｌｔｈｃａｒｅ／Ｗｈａｔｍａｎ（Ｐｉｓｃａｔａｗａｙ，ＮＪ）より入手可能なフィルムで例示されるこれら様々な種類の微多孔性フィルムが、広く入手可能である。上の記述及び列挙は、潜在的に好適な材料の代表的で非限定的な例であることを強調する。
【００３８】
いくつかの実施形態では、微小空隙は、フィルム断面全体にわたって（即ち、一方の主面から他方の主面まで）実質的に均一に分布していてもよい。他の実施形態では、例えば、微小空隙の寸法がフィルムの断面にわたってだんだん小さくなるある種の溶媒転相薄膜に代表されるように、微小空隙の寸法の傾斜は、フィルムの断面にわたって存在していてもよい（例えば、米国特許第５，００６，２４７号（Ｄｅｎｎｉｓｏｎ）を参照のこと）。いくつかの具体的な実施形態では、フィルムは、フィルムの第１の主側面に対して開いている空隙（孔）を有する第１の主面と、フィルムの第２の主側面に対して開いている空隙を含まないようにスキン層を構成する第２の主面とを含んでいてもよい（溶媒転相薄法によって作製することができる、表面がスキン化された膜で例示される）。
【００３９】
上記の種類のいずれの微多孔性フィルムも、任意の好適な材料、例えば、合成ポリマー材料、天然由来のポリマー材料、又は任意の好適なポリマーの物理的ブレンド又はコポリマーから製造され得る。潜在的に好適な材料としては、例えば、ポリアミド、ポリエステル、セルロースポリマー及び誘導体、ポリウレタン、ポリスルホン、ポリカーボネート、アクリルポリマー、ビニルポリマーなどを挙げることができる。いくつかの実施形態では、そのような微多孔性フィルムは、相対的に疎水性の材料（例えば、ポリプロピレン、フッ素含有ポリマー等といったポリマー材料）で作製されてもよく、及び／又は、材料の表面エネルギーを低下させて、液状水分が材料の孔を貫通できにくくするために、添加剤でコーティングされてもよく、表面処理されてもよく、以下同様である。
【００４０】
先に述べたように、フェースシールの水蒸気通気性層として使用するのに好適であり得る、高ＭＶＴＲ基材の別の一般的なカテゴリーは、水分子がフィルムの少なくとも親水性部分を通って十分な速度で放散できるように、フィルムの親水性部分を処理することによって高ＭＶＴＲを達成するフィルム基材である。よって、そのようなフィルムは、このようにして、水蒸気通気性層の上述の２つの部分の定義のうちの第１の部分（高ＭＶＴＲ）を得ることができる。多くのそのようなフィルムは（特に、フィルムが相互接続した微小空隙を欠いている場合、即ち、例えば、少なくとも部分的に多孔質でない場合には）、液状水分がフィルムを通ってウィッキングするのを十分に防止することが可能であり得、したがって本明細書において定義されるように撥水性であり得ることが理解されよう。多くのそのようなフィルムは（特に、フィルムが相互接続した微小空隙を欠いている場合、（例えば、少なくとも部分的に多孔質でない））、浮遊粒子がフィルムを通過するのを十分に防止することが可能であり得ることが更に理解されよう。よって、いくつかの実施形態では、そのようなフィルムは、本明細書において定義されるように空気不透過性であり得る。
【００４１】
フィルムの親水性部分は、十分な量の親水基を含む任意の好適なポリマー材料をフィルムに含ませることによって（かかる親水基が、例えば主鎖セグメント、側鎖セグメント、グラフト側鎖等の形態であるかどうかにかかわらず）、及び／又は親水性添加剤を含ませることによって（粒子、ポリマー鎖、親水性可塑剤、ワックス、オイルなどの小分子添加剤等の形態であるかどうかにかかわらず）などによって提供され得る。多く場合、そのような親水基は、群又は集団を作ってフィルムの親水性部分を形成するといった方法で提供され得る。
【００４２】
この一般的なカテゴリーの好適な材料の例としては、例えば米国特許第５，８４９，３２５号（Ｈｅｉｎｅｃｋｅ）及び同第４，５９５，００１号（Ｐｏｔｔｅｒ）に記載されているような、親水性熱可塑性ウレタン及び親水性熱可塑性ポリエーテルアミドブロックコポリマーが挙げられる。他の好適な材料としては、例えば米国特許第６，００１，４６４号（Ｓｃｈｕｌｔｚｅ）に記載されているような、例えば親水性ポリエーテルエステルブロックコポリマーを挙げることができる。更に他の好適な材料としては、詳細には相対的に親水性の（メタ）アクリル部分（例えば、アクリル酸など）を含む、アクリル及び／又はメタクリルモノマー及びコポリマーを含むポリマーフィルムを挙げることができる。この一般的な種類のフィルムは、米国特許第８，０２９，８９２号（Ｌａｃｒｏｉｘ）に記載されている（Ｌａｃｒｏｉｘは親水性ポリオール等の先に述べた使用についても論じていることに留意されたい）。例えば、商品名ＥＳＴＡＮＥでＬｕｂｒｉｚｏｌ（Ｗｉｃｋｌｉｆｆｅ，ＯＨ）より入手可能なフィルム、商品名ＰＥＢＡＸでＡｒｋｅｍａ（Ｃｏｌｏｍｂｅｘ，Ｆｒａｎｃｅ）より入手可能なフィルム、商品名ＡＲＮＩＴＥＬ  ＶＴでＤＳＭ（Ｅｖａｎｓｖｉｌｌｅ，ＩＮ）より入手可能なフィルム、及び商品名ＨＹＴＲＥＬでＤｕＰｏｎｔ（Ｗｉｌｍｉｎｇｔｏｎ，ＤＥ）より入手可能なフィルムで例示されるこれら様々な種類のフィルムが、広く入手可能である。上の記述及び列挙は、潜在的に好適な材料の代表的で非限定的な例であることを強調する。
【００４３】
任意のこうした材料及び／又は添加剤の混合物、コポリマー、及びブレンドを、所望通りに使用することができる。こうした親水基、添加剤等の組成及び／又は量は、例えば、容認し難い程度に水膨潤を起こしやすくなるくらい大量の水を吸収するほどフィルムを親水性にすることなく、所望のＭＶＴＲを提供するように、所望通りに調節することが可能である。例えば、ポリウレタンを使用する場合、親水性は、相対的に親水性である（一般に、得られるポリウレタンの、いわゆる軟質セグメントを形成する）ポリオールを使用することによって、即ち、例えばポリ（テトラメチレングリコール）と比べて、例えばポリ（エチレングリコール）を高い割合で使用することによって、増大し得る。ＭＶＴＲを高めるのに十分な親水性セグメント等を含むポリウレタンは、例えば米国特許第７，０８６，４００号（Ｓｈｉｇｅｍａｔｓｕ）に開示されているように、組成が不特定の（更には気体透過性である必要はないと言うことができる）ポリウレタンと区別されなければならないことに留意すべきである。いくつかの実施形態では、高ＭＶＴＲ基材の第１及び第２の一般的なカテゴリーの組み合わせを用いてもよい。例えば米国特許第４，６１３，５４４号（Ｂｕｒｌｅｉｇｈ）に記載されているように、例えば、微小空隙のいくつか又は全てが親水性材料で充填されている微小空隙を含む材料（例えば、微多孔膜）を使用することができる。
【００４４】
種々の実施形態において、本明細書に開示される水蒸気通気性層は、約１．０、０．５、０．２、又は０．１ｍｍ未満の厚さを含んでもよい。種々の実施形態において、本明細書に開示される水蒸気通気性層は、連続気泡ポリマー発泡体でも、独立気泡ポリマー発泡体でもない。本明細書に記載される第１及び第２の一般的なカテゴリーの高ＭＶＴＲフィルム、特に、例えば０．５ｍｍ未満の厚さのものは、例えば従来の連続気泡ポリマー発泡体基材と区別され得ることを理解されたい（連続気泡ポリマー発泡体基材は、特にこのように薄い厚さで提供される場合には、それらの連続気泡の性質により、必ずしも液状水分バリア特性及び／又は浮遊粒子バリア特性をもたらさない場合がある）。本明細書に記載される第１及び第２の一般的なカテゴリーの高ＭＶＴＲフィルム、特に、このように薄い厚さのものは、例えば従来の独立気泡ポリマー発泡体基材と区別され得ることを更に理解されたい（独立気泡ポリマー発泡体基材は、それらの製造プロセス及び独立気泡の性質により、必ずしもこのように薄い厚さで入手可能でない場合がある及び／又は水蒸気に対する透過性を有さない場合がある）。
【００４５】
いくつかの実施形態では、本明細書に記載する水蒸気通気性層は、他の層が存在しない状態で単独で使用される場合に、フェースシールとして機能し得る（そのような役割を果たすのに十分な物理的強度、形状適合性等を有する限りにおいて）。他の実施形態では、水透湿性層は、多層フェースシールの層として提供され得る。そのような実施形態では、例えば、水蒸気通気性層の強度及び耐摩耗性を高めるため、装飾目的で、フェースシールの後方側に皮膚に良好に適合する層を提供するためなどの目的に応じて、任意の好適な追加の層又は層が設けられてもよい。すでに述べたように、いくつかの実施形態では、フェースシールは、浮遊粒子に対するバリアとして機能する追加の層を含んでもよい。いくつかの実施形態では、追加の層は弾性クッション層として機能してもよく、この弾性クッション層は、例えば着用者の顔面に対するフェースシールの快適性を改善してもよい。例えば不織布材料、連続気泡発泡体などの任意の好適な弾性基材を、この目的のために使用することができる。
【００４６】
かかる追加の層（１又は複数）は、水蒸気通気性層と概ね又は実質的に隣接するように設けられてもよく、即ち、かかる層（１又は複数）は、水蒸気通気性層よりも小さい又は大きなエリアを占めてもよい。例えば、かかる層は、フェースシールの内側周縁領域に沿って、又はフェースシールの外縁領域に沿って設けられてもよく、及び／又はフェースシールの様々なエリア内で不連続的に（例えば、島として）設けられてもよい。かかる追加の層（１又は複数）は、水蒸気通気性層の両側に設けられてもよい。しかしながら、追加の層（１又は複数）は、水蒸気を着用者の顔面から離れて搬送する水蒸気通気性層の能力を、容認し難いほど妨げてはならない。つまり、本明細書に開示されるフェースシールは、十分低い（例えば、２４時間当たり４００グラム／平方メートル未満の）ＭＶＴＲを示し、かつ水蒸気通気性層の大きな面積を覆い（閉塞し）、それにより皮膚を乾燥状態に保つ水蒸気通気性層の能力を容認し難いほど低下させる、任意の追加の層（１又は複数）を含まない。よって、種々の実施形態において、水蒸気通気性層の面積の約４０、２０、１０、又は５％未満が、低ＭＶＴＲ層（又は複数の低ＭＶＴＲ層を合わせた面積）で覆われてもよい。
【００４７】
具体例として、極めて水蒸気不透過性（例えば、ＭＶＴＲが２４時間当たり約１グラム／平方メートル未満）であり、かつ水蒸気通気性層の実質的に全体を覆う無孔フィルムの形態の追加の層は、適していないことになる。それに対して、ＭＶＴＲが適切に高い任意の層は、（特に、この層が水蒸気通気性層の一部しか覆わない場合には）好適であり得る。好適な追加の層は、例えば、不織布ウェブ、織布、編布、ネット（例えば、エキスパンドメッシュ又は原線維からなるポリマー基材）などのような繊維状基材の形態で提供されてもよい。多くのそのような繊維状基材は、非常に開放された構造を含み得るので、水蒸気通気性層によって得られるＭＶＴＲに著しい影響を与えないことが理解されるであろう。
【００４８】
追加の層が織布ウェブを含む特定の実施形態では、そのようなウェブは任意の好適な織り柄パターン（例えば、繊維の寸法、繊維間の間隔等）を有していてもよく、任意の好適な天然又は合成ポリマー、例えば、ポリエステル、ポリアミド、セルロースポリマー及びその誘導体、アクリルポリマーなどから構成されてもよい。追加の層が不織布ウェブを含む特定の実施形態では、そのような不織布ウェブは、メルトブローンウェブ（例えば、ブロー成形されたマイクロファイバー（ＢＭＦ）ウェブ）、スパンボンドウェブ、スパンレース（例えば、水流絡合）ウェブ、カードウェブ、エアレイドウェブ、湿式ウェブなどであってもよい。異なる種類の繊維の複数の層（例えば、２つのスパンボンド繊維層の間に挟着されたメルトブローン繊維の内部層を含む、いわゆるＳＭＳ積層体）などが存在してもよいので、複数種の繊維の混合物（例えば、メルトブローン繊維とステープル繊維）を使用してもよい。そのような不織布ウェブの繊維は、任意の好適な方法、例えば水流交絡、ニードルパンチ、熱接着、結合剤の使用などによってコヒーレントウェブを形成するように結合されるか、あるいは別様に配置され得る。
【００４９】
一般に、こうした追加層の繊維又はストランドは、任意の好適な材料、例えばポリオレフィン、ポリアミド、ポリエステル、ポリウレタン、セルロース誘導体などから構成され得る。天然由来の繊維（例えば、再生セルロース、ポリ乳酸等のセルロース系）が、こうした層に存在してもよい。かかる追加の層（１又は複数）は、水蒸気通気性層８０に好都合に取り付けられて多層積層体を形成することができ、次にこの多層積層体は、本明細書において先に述べたようにマスク本体１２に取り付けられることができる。こうした追加の層の取り付けは、取り付けが水蒸気通気性層の上述の機能を容認し難いほど妨げない限り、任意の好適な方法又は機構によって達成され得る。例示的な取り付け方法としては、例えば、接着剤結合、熱接着、機械的取り付けなどを挙げることができる。こうした取り付けは、水蒸気通気性層及び追加の層の面積の一部、概ね全て、又は実質的に全てにわたって行われ得る。いくつかの実施形態では、こうした取り付けは、層の選択された位置における点接合を含み得、この点接合は、例えば熱点接合、選択された位置に接着剤を付着させる、選択された位置に機械的締結具を配置するなどによって達成される。接着剤（例えば、感圧性接着剤及び／又はホットメルト接着剤）を使用する場合、接着剤組成物（並びに接着剤が占める面積）は、水蒸気通気性層の上述の機能が十分に維持されるのを確保するように選択され得る。
【００５０】
図４に例示的に示す具体的な実施形態では、フェースシール６０は、上述した水蒸気通気性層８０を含んでいてもよく、かつ水蒸気通気性層８０の後方（例えば、最後部）側に追加の層８２を含んでいてもよく、この層８２は、先に述べたフェースシール６０の顔面接触面６５を提供し得る裏側主面８３を含み得る。いくつかの実施形態では、追加の層８２はウィッキング層であってよく、このウィッキング層は、適度な親水性を備える任意の好適な不織布ウェブ、織布、編布、又は一般的な任意の種類の繊維状基材を含む。適度な親水性のウィッキング層とは、層８２が、液状水分（例えば、着用者の皮膚から層８２まで移動する液状の汗）を層８２の主要平面に沿ってウィッキングして、この液状水分が水蒸気通気性層８０を通って水蒸気としてより迅速に除去され得るようにこれを広げることができるほど十分に親水性であることを意味する。適度な親水性とは、更に、層８２が、所望のウィッキングを促進するのに十分な程度に親水性であるが、液状水分を容認し難いほど保持（例えば、吸収）するほど親水性ではないこと意味する。別の言い方をすれば、適度な親水性を有する繊維層は、水ウィッキング能をほとんど又は全く示さないほど、実質的に疎水性のポリマー（例えば、ポリエチレン等）で完全に構成されるべきではない。しかしながら、適度な親水性の繊維層は、液状水分を強力に吸収しかつ保持し過ぎるほど、実質的に親水性のポリマー（例えば、高吸収性ポリマー等）で完全に構成されるべきではない。別の言い方をすれば、好適なウィッキング層は、あらゆる液状水分をより広い面積にわたって広げ、水を高ＭＶＴＲ層に通過させて（水蒸気として）そこから移動させやすくしなければならないが、ウィッキング層は、水が高ＭＶＴＲ層内に移動（例えば、蒸発により）して皮膚から除去されるようにするのではなく、水を皮膚の近くに保持するほど吸水性であってはならない。よって、こうしたウィッキング層を、着用者の顔面と水蒸気通気性層との間で使用する場合には、疎水性−親水性特性のバランスをとるのが有利であることが分かっている。いくつかの実施形態では、フェースシールは、水蒸気通気性層及びウィッキング層（水蒸気通気性層の少なくとも一部の後方側に位置する）のみからなり、他の層が存在しなくてもよい。他の実施形態では、フェースシール内に他の層が存在してもよい。
【００５１】
このようなウィッキング層を提供するための一般的方法はいくつかあり、そうした方法を非限定的な様式で本明細書に記載する。１つの方法では、繊維ウィッキング層（例えば、不織布ウェブ、織布又は編布など）は、「適度な」親水性を有する繊維から（例えば、概ね、実質的に、又は完全に）構成され得る。こうした繊維に適し得る材料としては、例えば、特定のナイロン、ポリエステル、アセチルセルロースなどが挙げられる。別の方法では、繊維ウィッキング層は、相対的に疎水性の繊維（例えば、ポリエチレン、ポリプロピレン、天然ゴムなど）から構成され得るが、ウェブは、相対的に親水性の繊維の一部分（例えば、有意な量の親水性コモノマーを含むセルロース繊維、アクリル繊維など）を組み込む。つまり、疎水性繊維と親水性繊維との任意の好適なブレンドを使用して、最適な特性バランスに到達することができる。このような方法の変形例では、繊維ウィッキング層は相対的に疎水性の繊維から構成され得るが、任意の好適な組成の親水性粒子（例えば親水コロイド粒子、木材パルプ、でんぷん粒子など）を更に含んでいてもよい。反対に、繊維ウィッキング層は相対的に親水性の繊維から構成され得るが、任意の好適な組成の疎水性粒子を更に含んでいてもよい。
【００５２】
更に別の方法では、繊維ウィッキング層は、相対的に疎水性の繊維から構成され得るが、より親水性になるように処理されてもよい（例えば、プラズマ処理、コロナ処理、界面活性剤又は任意の他の親水性コーティングでコーティングすること、親水性表面基又は親水性表面基にグラフトされた側鎖を有することなどによる）。更に別の方法では、繊維ウィッキング層は、相対的に親水性の繊維から構成され得るが、より疎水性になるように処理されてもよい（例えば、相対的に疎水性のコーティングでコーティングすること、疎水性表面基又は疎水性表面基にグラフトされた側鎖を有することなどによる）。更に別の方法では、繊維ウィッキング層は、親水性及び疎水性の成分及び領域のバランスのよい多成分繊維から構成され得る。また、ウィッキング層は、例えば組成及び特性の異なる複数の副層から構成され得る。
【００５３】
種々の方法の間に確固たる境界線が必ずしも存在しない、多くのこうした方法が存在することを強調しなければならない。広くは、疎水性繊維と親水性繊維との任意の組み合わせ、疎水性粒子状添加剤と親水性粒子状添加剤との任意の組み合わせ、疎水性添加剤と親水性添加剤との任意の組み合わせ、表面エネルギー増加及び表面エネルギー低下処理用のコーティング、結合剤等、及びその他をあらゆる組み合わせで使用して、最適な特性バランスを有する好適なウィッキング層を得ることができる。いくつかの例示の実施例では、適切に表面処理（例えば、プラズマ処理又はコロナ処理による）されているポリプロピレン及び／又はポリエチレン繊維を含む繊維層、相対的に親水性の低い繊維と相対的に親水性の高い繊維との適切なブレンドを含む繊維層、（例えば、ＤｕＰｏｎｔ（Ｗｉｌｍｉｎｇｔｏｎ，ＤＥ）から商品名ＳＯＮＴＡＲＡで入手可能なある種の不織布ウェブで例示される、ポリエステル繊維と再生セルロース繊維とのブレンド）、好適に適度な親水性を本来有する繊維（例えば、ある種のポリエステル繊維、ナイロン繊維又はアセチルセルロース繊維）から実質的に構成される繊維層、親水性モノマー単位を適切な割合で有するアクリル繊維を含む繊維層、及び適切な疎水性表面コーティング又は処理が施されたセルロース繊維を含む繊維層は、フェースシールのウィッキング層として使用するのに好適であり得る。
【００５４】
こうしたウィッキング層（例えば、基材）中に高親水性の成分が存在しないようにする必要は必ずしもなく、むしろ、存在する場合、層のウィッキング能を高めることができるが、容認し難いほど高い液状水分の吸収及び保持能力を層が示さないように、（例えば層の全重量に対して）十分に少ない量で存在すべきであることを強調する。少なくともいくつかの実施形態では、任意のこうした親水性成分を含む材料は、液状水分がウィッキングできるように、液状水分が材料の表面を濡らすことができるようにするために比較的高い表面エネルギーを有するが、液状水分を材料の内部まで吸収する能力が大きすぎないのが有利であり得ることが理解されるであろう。よって、種々の実施形態において、ウィッキング基材中に存在する（例えば、基材の全重量の５重量％超で）任意のそうした親水性繊維又は粒子は、一般にＡＳＴＭ試験方法Ｄ２４０４に従って試験したとき、約２０％、１０％、又は５％未満の保水値を含み得る（一般的に言えば、この試験は、基材の全体としての保水能力の試験ではなく、個々の繊維に適用可能であることに留意されたい）。
【００５５】
いくつかの実施形態では、潜在的に好適なウィッキング層（例えば、繊維状基材）の全体としての親水性は、基材の水分率値によって特徴付けることができる（即ち、ＡＳＴＭ規格Ｄ１９０９−０４、Ｓｔａｎｄａｒｄ  Ｔａｂｌｅ  ｏｆ  Ｃｏｍｍｅｒｃｉａｌ  Ｍｏｉｓｔｕｒｅ  Ｒｅｇａｉｎｓ、及びＡＳＴＭ試験方法Ｄ２６５４（Ｔｅｓｔ  Ｍｅｔｈｏｄｓ  ｆｏｒ  Ｍｏｉｓｔｕｒｅ  ｉｎ  Ｔｅｘｔｉｌｅｓ）に準拠した、予め乾燥させた基材が水に暴露されたときに取り戻す水の量）。種々の実施形態において、こうした基材は、少なくとも約１、２、３、４、５、６、又は８％の水分率値を含み得る。更なる実施形態では、こうした基材は、最大で約１５、１２、又は８％の水分率値を含み得る。
【００５６】
いくつかの実施形態では、基材が液状水分を保持する全体的な傾向は、一般に、ＡＳＴＭ試験方法Ｄ−１１１７に概説されている手順に従って得られる液状水分吸収値によって特徴付けることができる（米国特許第４，９５７，７９５号（Ｒｉｅｄｅｌ）に記載されている）。種々の実施形態において、繊維ウィッキング層に好適であり得る基材は、少なくとも約２、４、８、又は１６％の液状水分吸収値を含み得る。更なる実施形態では、こうした基材は、最大で約５０、２５、１０、又は５重量％の液状水分吸収値を含み得る。
【００５７】
いくつかの実施形態では、基材のウィッキング能は、一般に、ＩＮＤＡ試験手順１０．３−７０に概説されている手順に従って実施されるウィッキング速度試験によって特徴付けることができる（米国特許第４，９５７，７９５号（Ｒｉｅｄｅｌ）に記載されている）。種々の実施形態において、繊維ウィッキング層に好適であり得る基材は、少なくとも約０．２、０．５、１．０、又は２．０ｃｍのウィッキング速度（試験の場合）を含み得る。更なる実施形態では、こうした基材は、最大で約１０、５、又は２ｃｍのウィッキング速度を含み得る。
【００５８】
マスク本体１２は、図３の例示的な実施形態に示すように、少なくとも１つの濾過層１８を含む。こうした濾過層は、外部空気空間中に潜在的に存在している粒子を除去するのに適した濾材層を１つ以上含み得る。つまり、類似の濾材又は異なる濾材の複数の層を使用して、濾過層１８を構築してもよい。有利にも、濾過層１８は、マスク着用者の呼吸労力を最小限に抑えるために圧力低下が一般に小さく、例えば、１３．８センチメートル／秒の面速度において、約２０〜３０ｍｍ  Ｈ２Ｏ未満である。濾過層１８は、微細無機繊維（繊維ガラスなど）又は合成ポリマー繊維の１つ以上のウェブから構成されてもよい。合成ポリマー繊維ウェブとしては、メルトブローン法等のプロセスによって製造されるエレクトレット帯電ポリマーマイクロファイバーを挙げることができる。非極性捕集電荷を生成するために表面フッ素化を行いかつ／又はエレクトレット帯電したポリプロピレンから形成されたポリオレフィンマイクロファイバーは、微粒子捕捉用途に特に有用であり得る。濾過層１８の層（例えばその副層）、又は個々の濾過層１８は、不必要な又は悪臭ガス又は水蒸気分子を呼吸空気から除去するための吸着剤機能を提供してもよい。任意の好適な吸着剤（この用語は吸収剤と吸着剤の両方を広く包含する）を使用することができ、接着剤、結合剤、又は繊維性構造体によって濾過層内に保持される、例えば粉末又は顆粒として提供され得る。特定用途において有用であり得る吸着剤の例としては、活性炭（化学処理済み、若しくは未処理）、多孔質アルミナ−シリカ触媒基材、及びアルミナ粒子等の吸着材料が挙げられる。
【００５９】
本質的に任意の好適な材料を層１８の濾過材として使用することができる。Ｗｅｎｔｅ，Ｖａｎ  Ａ．，Ｓｕｐｅｒｆｉｎｅ  Ｔｅｒｍｏｐｌａｓｔｉｃ  Ｆｉｂｅｒｓ，４８  Ｉｎｄｕｓ．Ｅｎｇｎ．Ｃｈｅｍ．，１３４２  ｅｔ  ｓｅｑ．（１９５６）において教示されているもの等のメルトブローン繊維のウェブは、特に持続性帯電（エレクトレット）形である場合、特に有用である。そのようなメルトブローン繊維は、例えば、有効繊維直径が約２０マイクロメートル（μｍ）未満、典型的には約１〜１２μｍのマイクロファイバー（一般に「ブローンマイクロファイバー）」（ＢＭＦと呼ばれる）であってもよい。特に好ましいのは、ポリプロピレン、ポリ（４−メチル−１−ペンテン）及びこれらの組み合わせから形成される繊維を含有するＢＭＦウェブであり得る。ロジンウール繊維ウェブ、及びガラス繊維又は溶液吹込み若しくは静電噴射した繊維のウェブ（特にマイクロファイバーの形態のもの）に加えて、帯電解繊繊維（Electrically charged fibrillated-film fibers）も好適であり得る。ナノ繊維含有ウェブも濾過層として使用することができる。
【００６０】
電荷は、例えば、米国特許第７，７６５，６９８号（Ｓｅｂａｓｔｉａｎ）、同第６，８２４，７１８号（Ｅｉｔｚｍａｎ）、及び同第６，７８３，５７４号（Ａｎｇａｄｊｉｖａｎｄ）に開示されているように、繊維を水と接触させることにより、濾過層１８の少なくとも一部の繊維に付与することができる。電荷はまた、米国特許第４，５８８，５３７号（Ｋｌａｓｓｅ）に開示されているようなコロナ帯電により、又は、同第４，７９８，８５０号（Ｂｒｏｗｎ）に開示されているような摩擦帯電により、繊維に付与されてもよい。こうした方法の組み合わせを用いてもよい。必要に応じて、繊維材料が電荷を得る及び維持する能力を高めるために、繊維は添加剤を含むことができる。必要に応じて、オイルミスト環境における濾過性能を改善するため、繊維層の繊維表面にフッ素原子を配置してもよい。
【００６１】
いくつかの実施形態では、マスク本体１２は、追加の層、例えば外側又は内側カバー層、造形層、前置濾過層、装飾層などのうちの１つ以上を更に含んでもよい。こうした層のいずれか又は全ては、例えばマスク本体１２の周縁部３３の選択された位置又はその実質的に全てに沿って、マスク本体１２の球状部分３５の選択された位置において、あるいは球状部分３５の全ての領域の概ね全体にわたって、濾過層に接合（例えば、超音波接合、接着剤接合、熱接着など）され得る（こうした接合が、空気がマスク本体１２を通過する能力を容認し難いほど妨げない限りにおいて）。こうした接合位置の任意の組み合わせを用いることができる。
【００６２】
いくつかの実施形態では、濾過層１８の前方に位置付けられる追加の層は、外部空気空間中に存在する可能性のある大きな物体（例えば、毛髪、大きい塵埃粒子等）を除去するための前置フィルタとして機能することができ、及び／又は濾過層１８を摩耗及び／又は外部空気空間中に存在する可能性のある過度な汚染物質、不純物、及び埃への暴露から保護する役割を果たすことができる。いくつかの実施形態では、追加の層（例えば、外側カバー層）は、マスク本体１２の最も前方の層として設けられてもよい。こうした層は、例えば装飾層としての役割を果たしてもよく、及び／又は上記の前置濾過又は保護機能の一方又は両方の役割を果たしてもよい。いくつかの実施形態では、追加の層（例えば、内側カバー層）は、濾過層１８の後方に（内部空気空間３０に向けて）設けられてもよい。こうした層は、濾過層の後方側を保護することができ、着用者の皮膚と接触したときに快適な表面を提供することができる、といった具合である。いくつかの実施形態では、マスク本体は、例えばカップ形状の構成を形成及び維持するのを支援ために、造形層（１又は複数）含んでもよく、この造形層は、所要に応じて、濾過層のどちら側に設けられてもよい。
【００６３】
いくつかの実施形態では、マスク本体１２は撥水性層を含んでもよい（あるいは、濾過層１８は撥水性となるように設計されてもよい）。こうした特性は、例えば任意の組成又は種類（例えば、血液、汗など）の液状水分がマスク本体１２の表面にはねかかるか、あるいは別様に衝突したときに、この液状水分がマスク本体１２を通って流れる（例えば毛管現象により）可能性を最小限に抑えることができる。しかしながら、フィルタ式顔面装着呼吸マスクのマスク本体（例えば、米国特許第５，６７３，６９０号（Ｔａｙｅｂｉ）に記載されているようなもの）は、一般に、撥水性であると明確に記載されていない限り、又はマスク本体の組成が本明細書において定義される撥水性であることに結びつくことが当業者に明らかになるような文言で、その組成に関する記述がない限り、撥水性であると推定することはできないことに留意すべきである。
【００６４】
いくつかの実施形態では、図２の例示的な実施形態に示されるように、（例えばアルミニウム又は任意の好適な展性金属で製造された）鼻クリップ１９が、マスク本体１２の内面又は外面の、これら面の上縁部に隣接した中心部に固定され得、それによりマスクは、この領域において変形又は造形されて、特定の着用者の鼻を覆って適切にフィットすることができるようになる。いくつかの実施形態では、鼻に対するマスクのフィット及び／又はマスクが鼻の上に載っているときの快適性を改善するために、発泡体のストリップ（図示せず）がマスク本体１２の内面に固定されてもよい。吐き出された空気を内部空気空間３０から逃すのを容易にするために、１つ以上の呼気弁（例えば、図１及び図２に示すような例示的な弁１５）がマスク本体１２に取り付けられてもよい。呼気弁は、吐き出された暖かくて湿った空気を内部空気空間３０から素早く追い出すのを可能にし、着用者の快適性を改善することができる。本質的に、好適な圧力低下をもたらし、かつマスク本体に適切に固定することができる任意の呼気弁を使用することができ、任意の好適な技術を用いてマスク本体に取り付けることができる。他の実施形態では、こうした呼気弁は存在しなくてもよい。いくつかの実施形態では、例えばマスク本体を概ねカップ形状の構成に維持するのを支援するために、支持構造体が設けられてもよい。こうした支持構造体は、例えば米国特許出願公開第２０１２／０１２５３４１号（Ｇｅｂｒｅｗｏｌｄ）に記載されているように、例えば１つ以上の支持部材、骨組部材などを含んでもよい。他の実施形態では、このような支持構造体は存在しない。
【００６５】
例えば弾性材料で作製された任意の好適なストラップ（１又は複数）を使用して、ハーネス１４を提供してもよい。こうしたストラップ（例えば、本明細書に描かれているようなストラップ１６）は、接着手段、接合手段、又は機械的手段などの任意の好適な手段によって、マスク本体１２に固定され得る。ストラップ１６は、例えば、マスク本体１２に超音波接合されてもよく、又はステープルなどの他の手段によって機械的に取り付けられてもよい。調節可能なバックルは、ストラップ１６の長さを調節できるように、ハーネス１４上に提供されてもよい。人の顔から呼吸マスク１０を取り外すときにハーネス１４を分解することができるように、そして人の顔に呼吸マスク１０を着用するとき再組立てすることができるように、ストラップ１６に、締結する又はバックルで固定する機構も取り付けられてもよい。いくつかの実施形態では、単一ストラップ（米国特許第７，１３１，４４２号（Ｋｒｏｎｚｅｒ）の図に示されている各ストラップ１４の一般的な方法で、マスク本体の第１の側方縁部に連結された第１の端部と、マスク本体の第２の側方縁部に連結された第２の端部とを有する）を使用してもよい。他の実施形態では、２つのストラップ（例えば、同様にＫｒｏｎｚｅｒに示されているような上側ストラップ及び下側ストラップ）、又はそれ以上のストラップを使用してもよい。こうした複数ストラップのいくつかの実施形態では、第１のストラップは、マスク本体の第１の側方縁部に連結された第１の端部と、マスク本体の第２の側方縁部に連結された第２の端部とを有してもよく、第２のストラップも同様に、マスク本体の第１の側方縁部に連結された第１の端部と、マスク本体の第２の側方縁部に連結された第２の端部とを有してもよい（ここでもＫｒｏｎｚｅｒに示されているように）。複数ストラップの他の実施形態では、本明細書において図１及び図２の例示的な実施形態に描かれているストラップ１６のように、第１のストラップは、共にマスク本体の第１の側方縁部に連結された第１及び第２の端部を有してもよく、第２のストラップは、共にマスク本体の第２の側方縁部に連結された第１及び第２の端部を有してもよい。そのような実施形態では、連結具（例えば、図１及び図２に示すようなフック１７）を提供するのが好都合であり得、この連結具は、２本のストラップの一部を着用者の頭の後で互いに連結するために使用して、呼吸マスクを着用者の顔面に対して確実に保持するのを強化するようにすることができる。このような構成は、本明細書で開示されるフェースシールと併用した場合に、着用者の顔面に対するぴったりとしたフィットを確立して維持するフェースシールの能力を強化するのに特に役立つことが分かっている。具体的な実施形態では、こうした連結具（例えば、フック１７）は、第１のストラップに永続的に連結されてもよく（つまり、呼吸マスク１０の通常使用では、呼吸マスク１０から取り外せないように設計されている）、図１及び図２のフック１７で例示されるように、第２のストラップに取り外し可能に連結可能である。ハーネス１４の特定の設計に関わらず、連結具は、着用者が呼吸マスク１０を一旦身に着け、その後取り外すのを可能にし、又は身に着け、取り外し、再度身に着けるのを可能にし、以下同様であり、こうした呼吸マスクの通常使用にふさわしい。（前述の通り、少なくともいくつかの実施形態では、呼吸マスク１０は使い捨てであってもよい、つまり、使用期間が１つの連続した出来事において生じるか、本質的に断続的であるかにかかわらず、通常使用において適切な使用期間の後で廃棄される。）
【００６６】
本明細書に開示されるフェースシール６０を含む呼吸マスク１０は、任意の好適なプロセスを用いて製造され得る。かかる層（例えば、繊維ウェブ）の全てが平坦な状態で追加の層を濾過層１８に取り付けた後、全ての層を、例えばカップ形状の構成に多層積層体として変形させるのが好都合であり得る。フェースシール６０はプロセスの任意の好適な工程で取り付けることができるが、マスク本体１２を所望の形状に形成した後、任意の好適な方法でフェースシール６０をマスク本体１２に取り付けるのが最も好都合であり得る。同様に、他の部品（例えば、ハーネス１４、鼻クリップ１９、呼気弁１５等）は、任意の都合のよいときに、任意の従来法を用いてマスク本体１２に取り付けることができる。図１及び図２の例示的な実施形態では、ストラップ１６は、マスク本体１２の周縁部３３を越えて外方に延びるタブ３４に連結されて示されているが、一般に、このようなストラップは、マスク本体１２の任意の部分又は部品に取り付けられてもよい（マスク本体１２の周縁部３３又は他の部分に直接取り付けることを含む）ことにも留意すべきである。更に、こうした外方に延びるタブ（及び、一般に任意のこのような外方に延びるタブ突起部）は、マスク本体１２の周縁部３３を定義する目的で無視されてもよい。
【００６７】
例示的実施形態の一覧
実施形態１．少なくとも１つの濾過層を含み、かつ周縁部を有する後方開放端部を含む造形されたマスク本体と、フェースシールであり、前記マスク本体の前記周縁部に連結され、かつ前記マスク本体の前記周縁部から内方に延びて、前記フェースシールの内側縁部において終端するフェースシールと、を含み、前記フェースシールが、撥水性でもある少なくとも１つの水蒸気通気性層を含む、造形されたフィルタ式顔面装着呼吸マスク。
【００６８】
実施形態２．前記水蒸気通気性層が、３８℃の温度で試験した場合に、２４時間当たり１０００〜２００００グラム／平方メートルの水蒸気透過率を示す、実施形態１に記載の呼吸マスク。
【００６９】
実施形態３．前記水蒸気通気性層が、３８℃の温度で試験した場合に、２４時間当たり２０００〜２００００グラム／平方メートルの水蒸気透過率を示す、実施形態１に記載の呼吸マスク。
【００７０】
実施形態４．前記水蒸気通気性層が、３８℃の温度で試験した場合に、２４時間当たり４０００〜２００００グラム／平方メートルの水蒸気透過率を示す、実施形態１に記載の呼吸マスク。
【００７１】
実施形態５．前記水蒸気通気性層が、３８℃の温度で試験した場合に、２４時間当たり８０００〜２００００グラム／平方メートルの水蒸気透過率を示す、実施形態１に記載の呼吸マスク。
【００７２】
実施形態６．前記水蒸気通気性層が、空気透過性基材を含む、実施形態１に記載の呼吸マスク。
【００７３】
実施形態７．前記空気透過性の水蒸気通気性基材が、１００ｃｃにおいて約１０秒〜約１００秒のデンソメータ時間を含む、実施形態６に記載の呼吸マスク。
【００７４】
実施形態８．前記水蒸気通気性層が、空気不透過性フィルムを含む、実施形態１〜５のいずれか１つに記載の呼吸マスク。
【００７５】
実施形態９．前記水蒸気通気性層が、浮遊粒子バリア層としても機能する、実施形態１〜８のいずれか１つに記載の呼吸マスク。
【００７６】
実施形態１０．前記水蒸気通気性層が、微小空隙を含む多孔質ポリマー基材を含む、実施形態１〜９のいずれか１つに記載の呼吸マスク。
【００７７】
実施形態１１．前記多孔質ポリマー基材が、前駆体フィルムの主要平面に沿って前記前駆体フィルムを延伸することによって形成される微多孔性フィルム、前駆体フィルムからの物質の抽出によって形成される微多孔性フィルム、溶媒転相法によって形成される微多孔性フィルム、熱転相法によって形成される微多孔性フィルム、及び、トラック−エッチ膜からなる群から選択される、実施形態１０に記載の呼吸マスク。
【００７８】
実施形態１２．前記水蒸気通気性層が、親水性部分を含むポリマーフィルムを含む、実施形態１〜１１のいずれか１つに記載の呼吸マスク。
【００７９】
実施形態１３．ポリマーフィルムは、前記親水性部分が、主鎖セグメント、側鎖セグメント、若しくはグラフト側鎖、又はこれらの任意の組み合わせの親水基によって提供される非多孔質フィルムである、実施形態１２に記載の呼吸マスク。
【００８０】
実施形態１４．前記ポリマーフィルムが、親水性熱可塑性ポリウレタン、親水性熱可塑性ポリエーテルアミドブロックコポリマー、親水性ポリエーテルエステルブロックコポリマー、少なくともいくつかの親水性アクリル及び／又はメタクリルモノマー単位を含む親水性材料、並びにこれらの任意の混合物、コポリマー、及びブレンドからなる群から選択される材料を含む、実施形態１３に記載の呼吸マスク。
【００８１】
実施形態１５．前記ポリマーフィルムの前記親水性部分が、少なくとも一部において、親水性粒子状添加剤及び親水性小分子添加剤からなる群から選択される１つ以上の親水性添加剤によって提供される、実施形態１２に記載の呼吸マスク。
【００８２】
実施形態１６．前記水蒸気通気性層が、多層フェースシールの層である、実施形態１〜１５のいずれか１つに記載の呼吸マスク。
【００８３】
実施形態１７．前記多層フェースシールの少なくとも１つの追加の層が、不織布ウェブ、織布若しくは編布、及びポリマーネットからなる群から選択される、実施形態１６に記載の呼吸マスク。
【００８４】
実施形態１８．前記多層フェースシールの少なくとも１つの追加の層が、浮遊粒子バリア層である、実施形態１６に記載の呼吸マスク。
【００８５】
実施形態１９．前記多層フェースシールの少なくとも１つの追加の層が、前記水蒸気通気性層の後方に位置するウィッキング層であり、このウィッキング層は、前記多層フェースシールの顔面接触面の役割を果たす後方主面を含む、実施形態１６に記載の呼吸マスク。
【００８６】
実施形態２０．前記ウィッキング層が、織布を含む、実施形態１９に記載の呼吸マスク。
【００８７】
実施形態２１．前記多層フェースシールの少なくとも別の追加の層が、前記ウィッキング層の前方に位置する弾性クッション層である、実施形態１９に記載の呼吸マスク。
【００８８】
実施形態２２．前記呼吸マスクが、共に前記マスク本体の第１の側方縁部に連結された第１及び第２の端部を有する第１のストラップと、共に前記マスク本体の第２の側方縁部に連結された第１及び第２の端部を有する第２のストラップと、を含み、前記呼吸マスクが、前記第１のストラップの一部と前記第２のストラップの一部とを着用者の頭の後で連結するように構成された、少なくとも１つの連結具を更に含む、実施形態１〜２１のいずれか一つに記載の呼吸マスク。
【００８９】
実施形態２３．前記連結具が、前記第１のストラップに永続的に連結され、前記第２のストラップに取り外し可能に連結可能である、実施形態２２に記載の呼吸マスク。
【００９０】
実施形態２４．前記フェースシールが、前記マスク本体と一体でない、実施形態１〜２３のいずれか１つに記載の呼吸マスク。
【００９１】
実施形態２５．前記フェースシールのどの部分も、前記マスク本体の前記周縁部に連結された前記フェースシールの側方周縁部以外、前記マスク本体のいずれの部分とも連結されない、実施形態１〜２４のいずれか１つに記載の呼吸マスク。
【００９２】
実施形態２６．前記濾過層が、エレクトレット繊維を含む、実施形態１〜２５のいずれか１つに記載の呼吸マスク。
【００９３】
本明細書で開示された具体的な代表的構造、特徴、詳細、形態などは、改変することができ、及び／又は数多くの実施形態で組み合わせることができることが、当業者には明らかであろう。このような変形例及び組み合わせは全て、発明者によって、例示的な説明としての役割を果たすべく選択された代表的な設計としてだけではなく、想到される発明の境界内にあるものと考えられるものである。したがって、本発明の範囲は、本明細書に記載される特定の例示的構造に限定されるべきではないが、むしろ少なくとも請求項の言語によって説明される構造、及びそれらの構造に相当する構造にまで拡大する。記載される本明細書と、参照により本明細書に援用されるいずれかの文書の開示内容との間に矛盾又は食い違いが存在する場合、記載される本明細書が優先するものである。
【図１】
0006385367.tif 000002
【図２】
0006385367.tif 000003
【図３】
0006385367.tif 000004
【図４】
0006385367.tif 000005